【事件の表示】
　商願２０１７−７１１７１拒絶査定不服審判事件について，次のとおり審決する。
【結　論】
　本件審判の請求は，成り立たない。
【理　由】
１　本願商標
　本願商標は，別掲のとおりの構成よりなり，第２５類「被服，ベルト，コート，手袋，ジャケット，ミトン，パンツ，プルオーバー型セーター及びプルオーバー型シャツ，レインウェア，シャツ，ショーツ，スカート，スコート，スラックス，セーター，スウェットシャツ，ベスト，ウィンドシャツ，履物，帽子，バイザー（帽子）」を指定商品とし，２０１６年（平成２８年）１２月６日にアメリカ合衆国においてした商標登録出願に基づきパリ条約第４条による優先権を主張して，同２９年５月２６日に登録出願されたものである。
２　引用商標 
　原査定において，本願商標が商標法第４条第１項第１１号に該当するとして，拒絶の理由に引用した登録商標は，以下の（１）ないし（４）であり，これらの商標権は，いずれも現に有効に存続しているものである（以下，これらをまとめていうときは「引用商標」という。）。
（１）登録第２１８３４９６号商標（以下「引用商標１」という。）は，「パーソンズ」の片仮名を横書きしてなり，昭和６２年１０月２日登録出願，第１７類に属する商標登録原簿記載のとおりの商品を指定商品として，平成元年１０月３１日に設定登録され，その後，同２１年１１月１１日に指定商品を第５類「失禁用おしめ」，第９類「事故防護用手袋，防じんマスク，防毒マスク，溶接マスク，防火被服」，第１０類「医療用手袋」，第１６類「紙製幼児用おしめ」，第１７類「絶縁手袋」，第２０類「クッション，座布団，まくら，マットレス」，第２１類「家事用手袋」，第２２類「衣服綿，ハンモック，布団袋，布団綿」，第２４類「布製身の回り品，かや，敷布，布団，布団カバー，布団側，まくらカバー，毛布」及び第２５類「被服」とする指定商品の書換登録がされたものである。
（２）登録第２３５６１２３号商標（以下「引用商標２」という。）は，「パーソンズ」の片仮名を横書きしてなり，平成元年８月３１日登録出願，第２１類に属する商標登録原簿記載のとおりの商品を指定商品として，同３年１１月２９日に設定登録され，その後，同１４年５月１日に指定商品を第３類，第６類，第８類，第１０類，第１４類，第１８類，第２１類，第２５類及び第２６類に属する商標登録原簿に記載のとおりの商品とする指定商品の書換登録がされ，同２３年１１月１５日に商標権の存続期間の更新登録が第６類，第８類，第１０類，第１４類，第１８類，第２１類，第２５類及び第２６類についてされた結果，その指定商品については，第６類「金属製のバックル」，第８類「ひげそり用具入れ，ペディキュアセット，マニキュアセット」，第１０類「耳かき」，第１４類「身飾品，貴金属製のがま口及び財布，宝玉及びその模造品，貴金属製コンパクト」，第１８類「かばん類，袋物，携帯用化粧道具入れ」，第２１類「化粧用具（「電気式歯ブラシ」を除く。）」，第２５類「ガーター，靴下止め，ズボンつり，バンド，ベルト」及び第２６類「腕止め，衣服用き章（貴金属製のものを除く。），衣服用バッジ（貴金属製のものを除く。），衣服用バックル，衣服用ブローチ，帯留，ボンネットピン（貴金属製のものを除く。），ワッペン，腕章，頭飾品，ボタン類，造花（「造花の花輪」を除く。），つけあごひげ，つけ口ひげ，ヘアカーラー（電気式のものを除く。）」となったものである。
（３）登録第２５８８１０１号商標（以下「引用商標３」という。）は，「パーソンズ」の片仮名を横書きしてなり，平成３年５月７日登録出願，第２２類に属する商標登録原簿記載のとおりの商品を指定商品として，同５年１０月２９日に設定登録され，その後，同１６年３月３日に指定商品を第６類，第１４類，第１８類，第２１類，第２２類，第２５類及び第２６類に属する商標登録原簿記載のとおりの商品とする指定商品の書換登録がなされ，また，同３０年８月２日受付けで本権の登録の一部放棄がなされた結果，最終的に，その指定商品は，第１８類「傘，ステッキ，つえ，つえ金具，つえの柄」及び第２５類「履物」となったものである。
（４）登録第２６６５９２３号商標（以下「引用商標４」という。）は，「ＰＥＲＳＯＮＳ」の欧文字を横書きしてなり，平成元年２月２８日登録出願，第１７類に属する商標登録原簿記載のとおりの商品を指定商品として，同６年５月３１日に設定登録され，その後，同１６年６月３０日に指定商品を第５類，第９類，第１０類，第１６類，第１７類，第２０類，第２１類，第２２類，第２４類及び第２５類に属する商標登録原簿に記載のとおりの商品とする指定商品の書換登録がされ，同２６年６月１７日に商標権の存続期間の更新登録が第５類，第１６類，第２０類，第２１類，第２２類，第２４類及び第２５類についてされた結果，その指定商品については，第５類「失禁用おしめ」，第１６類「紙製幼児用おしめ」，第２０類「クッション，座布団，まくら，マットレス」，第２１類「家事用手袋」，第２２類「衣服綿，ハンモック，布団袋，布団綿」，第２４類「布製身の回り品，かや，敷布，布団，布団カバー，布団側，まくらカバー，毛布」及び第２５類「被服」となったものである。
３　当審の判断
（１）本願商標について
　本願商標は，別掲のとおり，顕著に太く大きな文字で「ＰＡＲＳＯＮＳ」の欧文字を円弧状に湾曲させて横書きし，「ＰＡＲＳＯＮＳ」の欧文字を強調するように両脇に円形の図形が配置され，「ＰＡＲＳＯＮＳ」の欧文字の下部には３本の長さの異なる直線が配置されており，更にその下部に小さな文字で「ＸＴＲＥＭＥ ＧＯＬＦ」の欧文字が横書きされている構成よりなるものである。
　そして，本願商標の構成中，上段の「ＰＡＲＳＯＮＳ」の欧文字部分は，「教区牧師，聖職者」を意味する英語（ジーニアス英和辞典　第五版　大修館書店）であるが，我が国において一般に馴染みのある語と認め難いことから，この文字に接する取引者，需要者が直ちに上記意味合いを理解するとはいい難いものである。
　一方，下段の「ＸＴＲＥＭＥ ＧＯＬＦ」の欧文字部分の構成中「ＸＴＲＥＭＥ」の欧文字は，特定の意味を有しない語であり，「ＧＯＬＦ」の欧文字は，「ゴルフ」を意味する英語（前掲書）であるところ，これらの語を結合した全体が我が国において親しまれているということもできず，これらの文字に接する取引者，需要者が直ちに特定の意味合いを理解するとはいい難いものである。
　さらに，本願商標の両端に配された図形部分及び３本の罫線は，特定の意味合いを直ちに想起させない幾何図形と認められ，単に装飾的に配置されているとの印象を与えることから，これより特定の称呼及び観念は生じないというべきである。
　そうすると，本願商標は，その構成中，圧倒的に大きく表された上段の「ＰＡＲＳＯＮＳ」の欧文字部分は，視覚的に看者の注意を惹くように構成されているのに対して，下段の「ＸＴＲＥＭＥ ＧＯＬＦ」の欧文字部分は「ＰＡＲＳＯＮＳ」の欧文字部分に比してかなり小さい文字で構成されており，上段と下段の欧文字の間には３本の罫線が配されていることから，両欧文字が外観上分離して看取し得るものであり，また，称呼上及び観念上の繋がりもないことから，両者を分離して観察することが取引上不自然であると思われるほど不可分的に結合されている事情は見いだせないものである。
　してみれば，本願商標は，上段と下段との欧文字部分が，それぞれ独立して出所識別機能を果たす部分として認識されるものといえるものであり，特に構成中ひときわ大きく顕著に表されてなる「ＰＡＲＳＯＮＳ」の欧文字部分が見る者の注意を引くものであるから，「ＰＡＲＳＯＮＳ」の欧文字部分が，取引者，需要者に対し，出所識別標識として強く支配的な印象を与えるものと認められる。
　したがって，本願商標は，その構成中「ＰＡＲＳＯＮＳ」の欧文字部分のみを要部として抽出し，これを引用商標と比較して商標としての類否を判断することも許されるものであるから，当該部分に相応して「パーソンズ」の称呼を生じ，特定の観念を生じないものである。
（２）引用商標について
　引用商標１ないし３は，「パーソンズ」の片仮名を横書きしてなるところ，該文字は一般の辞書等には掲載がなく，また，本願の指定商品を取り扱う分野において特定の意味合いを表す語として使用されている実情も見受けられないことから，特定の意味を有しない造語を表したものといえる。
　したがって，引用商標１ないし３は，その構成文字に相応して，「パーソンズ」の称呼が生じ，特定の観念を生じないものである。
　引用商標４は，「ＰＥＲＳＯＮＳ」の欧文字を横書きしてなるところ，該欧文字は，「人，人間，一個人」を意味する英語「ＰＥＲＳＯＮ」の複数形（前掲書）であるから，「パーソンズ」の称呼を生じ，「人々」程の観念が生じるものである。
（３）本願商標と引用商標１ないし３との類否について
　本願商標は，上記（１）のとおりの構成からなるものであり，引用商標１ないし３は，上記（２）のとおりの構成からなるところ，本願商標の要部である「ＰＡＲＳＯＮＳ」の欧文字部分と引用商標１ないし３の「パーソンズ」の片仮名とは，文字の種類を異にする点において，その外観が異なるものといえる。しかし，欧文字からなる商標を片仮名で表記することは一般に行われていることから，両商標における文字の種類の違いが，これに接する取引者，需要者に対し，外観上の差異として強い印象を与えるとはいえないというべきである。
　また，本願商標と引用商標１ないし３からは，いずれも特定の観念を生じないものと認められるから，この点において両商標に相違があるものではない。
　そうすると，本願商標と引用商標１ないし３は，「パーソンズ」の称呼を共通にする一方，その外観において，称呼の共通性を凌駕するほどの顕著な差異があるとはいえず，また，観念においても相違があるものではないことからすると，互いに相紛れるおそれのある類似する商標というべきである。
（４）本願商標と引用商標４との類否について
　本願商標の要部である「ＰＡＲＳＯＮＳ」の欧文字部分と引用商標４の「ＰＥＲＳＯＮＳ」とを対比すると，「Ｐ」「Ｒ」「Ｓ」「Ｏ」「Ｎ」「Ｓ」のつづりを同じくするものであり，異なるところは，２文字目における「Ａ」と「Ｅ」の差異を有するのみであることから，外観上，近似した印象を与えるものである。
　また，本願商標の要部である「ＰＡＲＳＯＮＳ」の欧文字部分からは，特定の観念が生じないのに対し，引用商標４からは，「人々」程の観念が生じるものであるから，両商標は，観念上，相紛れるおそれがあるとはいえない。
　そうすると，本願商標と引用商標４は，観念において相紛れるおそれがないとしても，「パーソンズ」の称呼を共通にし，外観においても近似した印象を与えるものであることからすると，互いに相紛れるおそれのある類似する商標というべきである。
（５）本願商標の指定商品と引用商標の指定商品との類否
　本願商標の指定商品である第２５類「被服，ベルト，コート，手袋，ジャケット，ミトン，パンツ，プルオーバー型セーター及びプルオーバー型シャツ，レインウェア，シャツ，ショーツ，スカート，スコート，スラックス，セーター，スウェットシャツ，ベスト，ウィンドシャツ，履物，帽子，バイザー（帽子）」は，引用商標１の指定商品中，第２５類「被服」，引用商標２の指定商品中，第２５類「ガーター，靴下止め，ズボンつり，バンド，ベルト」，第２６類「腕止め」，引用商標３の指定商品中，第２５類「履物」，引用商標４の指定商品中，第２５類「被服」と，それぞれ，同一又は類似するものといえる。
（６）小括
　以上によれば，本願商標と引用商標とは，互いに類似する商標であり，かつ，本願商標の指定商品は，引用商標の指定商品と同一又は類似の商品を含むものである。
　したがって，本願商標は，商標法第４条第１項第１１号に該当する。
（７）請求人の主張について
　ア　請求人は，本願商標は，各構成要素がバランス良く配置されており，各構成要素を分離して観察することは取引上不自然であり，その構成全体をもって視覚的に一体不可分のロゴマークとして認識されるものといえる旨を主張する。
　しかしながら，本願商標においては，その構成中の「ＰＡＲＳＯＮＳ」の欧文字部分を要部として抽出し，これを引用商標と比較して商標そのものの類否を判断することも許されることは，上記（１）のとおりである。
　イ　請求人は，過去の審・判決例を挙げて，本願商標は構成全体で一つの商標とし認識され，機能するものであって，本願商標に接する需要者は，本願商標全体を一体不可分のものとして印象，記憶にとどめるとするのが自然である旨主張する。
　しかしながら，商標の類否の判断は，対比する商標について個別具体的に判断されるべきものであるところ，上記審・判決例は，商標の具体的構成等において本願とは事案を異にするものであり，本願商標については，上記（１）においてした判断のとおりであるから，該審・判決例をもってその判断が左右されるものではない。
（８）まとめ
　以上のとおり，本願商標は，商標法第４条第１項第１１号に該当し，登録することができない。
　よって，結論のとおり審決する。